(57)【要約】  本発明は、無線通信ネットワークの加入者に関する個人データを保存するための方法に関する。このデータは、移動通信局に記憶され、第１の通信チャネル（９）によって、および第１の保存モードで、ネットワーク・サーバに保存される。この方法は、少なくとも、移動装置が第２の通信チャネルを確立することができるかどうか、および／または他の保存モードを有するかどうかが判別されるステップと、有する場合、前記第２のチャネル上で、および／または前記他のモードに従って、通信が開通され、前記第２の通信チャネルおよび／または前記他のモードによってデータが保存されるステップとを含むことを特徴とする。さらに本発明は、対応する保存プログラムを有するデバイスにも関する。
2007520101.tif 000002
【特許請求の範囲】
【請求項１】
無線通信ネットワークの加入者の個人データをバックアップするための方法であって、前記データが移動体通信局に記憶されており、第１の通信チャネル（９）により、および第１のバックアップ・モードに従って、ネットワーク・サーバにバックアップされ、少なくとも、
移動装置が、少なくとも１つの第２の通信チャネルおよび／または他のバックアップ・モードを確立することができるようにする機能を有するかどうかを判別するステップと、
有する場合は、前記第２のチャネル上で、および／または前記他のモードに従って、通信を開通し、前記第２の通信チャネルおよび／または前記他のモードを介して前記データをバックアップするステップと、を含むことを特徴とする方法。
【請求項２】
少なくとも１つの第２の通信チャネルを確立することができるようにする前記機能がＢＩＰと呼ばれることを特徴とする、請求項１に記載の方法。
【請求項３】
バックアップされるデータの量が所定の量よりも多いこと、ならびに前記第２のチャネル（９）および／または他のより良く適合されたモードが選択されることを検出する際に従う、事前ステップ（１１）を含むことを特徴とする、請求項1または２に記載の方法。
【請求項４】
前記所定の量が２００キロバイトに等しいことを特徴とする、請求項３に記載の方法。
【請求項５】
前記第２のチャネルがＣＳＤ、ＧＰＲＳ、およびＷＬＡＮの中から選択されることを特徴とする、請求項１乃至４のいずれか１項に記載の方法。
【請求項６】
前記第１のチャネル（８）がＳＭＳショート・メッセージ・チャネルであることを特徴とする、請求項１乃至５のいずれか１項に記載の方法。
【請求項７】
バックアップされるデータのコストが所定のしきい値より高いかどうか、ならびに、前記バックアップが最良の適合チャネルおよび／またはバックアップ・モードに従って実行されるかどうかが判別される際に従う、事前評価ステップを含むことを特徴とする、請求項１乃至６のいずれか１項に記載の方法。
【請求項８】
バックアップされるデータのコストが所定のしきい値より高いかどうか、
ならびに、前記バックアップが適合チャネルおよび／またはバックアップ・モードに従って実行されるかどうか、が判別される際に従う、事前評価ステップ（１８）を含むことを特徴とする、請求項1乃至７のいずれか１項に記載の方法。
【請求項９】
第１の通信チャネルによって、および第１のバックアップ・モードに従って、無線通信ネットワークの加入者の個人データをバックアップするためのアプリケーションを有するポータブル・デバイスであって、
前記アプリケーションが、
前記デバイスが、少なくとも１つの第２の通信チャネルおよび／または他のバックアップ・モードを確立することができるようにする機能および／または他のバックアップ・モードを有するかどうかを判別するステップと、
有する場合、前記第２のチャネルおよび／または前記他のモードで前記通信を開通し、前記第２の通信チャネルおよび／または前記他のモードを介して前記データのバックアップを続行するステップと、を実施することができることを特徴とするポータブル・デバイス。
【請求項１０】
加入者識別モジュール・カードからなることを特徴とする、請求項９に記載のポータブル・デバイス。
【発明の詳細な説明】
【技術分野】
【０００１】
本発明は、無線通信ネットワークの分野に関し、より詳細には、これらのネットワークを使用する移動装置または関連する加入者識別モジュール・カードに保存された電話帳などの個人情報ファイルをバックアップする方法に関する。
【背景技術】
【０００２】
ＧＳＭネットワーク（移動通信用グローバル・システムを意味する頭字語）などのこうしたネットワークでは、加入者はＳＩＭまたは（Ｕ）ＳＩＭカード（（汎用）加入者識別モジュールを意味する頭字語）を所有する。このＳＩＭカードは、加入者が種々のアプリケーションおよび／またはサービスにアクセスできるように個別設定される。また、電話帳、日記等のファイルなどの個人情報も含まれる。
【０００３】
現在のところオペレータは、ＳＭＳメッセージ（ショート・メッセージ・サービスを意味する頭字語）によって、その加入者がこの個人情報をサーバにバックアップできるようにする。
【０００４】
ほとんどの技術的解決方法は、カードおよび／または移動体に記憶されたデータと、サーバのバックアップ・データベースに記憶されたデータとを同期させるためのメカニズムに依存している。このメカニズムでは、必要となるコストのために、ＳＭＳの使用を最適化する目的で修正済みデータのみが転送される。
【０００５】
バックアップは、自動的に、またはユーザの要求時に手動で開始することができる。
【０００６】
大量のデータが含まれる場合、サーバへのリモート・バックアップには、比較的高いコストがかかり、連続モードで実行する場合に非常に時間がかかるという欠点がある。
【０００７】
ＳＭＳメッセージを介して２５５の電話番号と関連する名前を含む電話帳をバックアップするのに必要な時間は、約５分である。
【０００８】
一方、量産しやすく使用が簡単な固有のバックアップ・ソリューションの実施を可能にする同じ機能を、すべての移動体が有しているわけではない。
【発明の開示】
【発明が解決しようとする課題】
【０００９】
本発明の１つの目的は、無線通信ネットワークの加入者の個人データをバックアップするためのメカニズムを見つけることである。このデータは、第１の通信チャネルを使用して、および／または第１のバックアップ・モードに従って、移動体通信局に記憶され、ネットワーク・サーバにバックアップされている。
【課題を解決するための手段】
【００１０】
本発明は、少なくとも、移動体が、少なくとも１つの第２の通信チャネルおよび／または他のバックアップ・モードを確立することができる機能を有するかどうかを判別するステップと、機能を有する場合は、この第２のチャネル上で、および／またはこの他のモードに従って、通信を開通し、第２の通信チャネルおよび／またはこの他のモードを介してデータをバックアップするステップとを含むことを特徴とする。
【００１１】
主に、ＳＩＭカードにインストールされた特定のアプリケーションの支援を得て実施されるこの方法は、最良に適合されたチャネルが存在する場合、これを使用してバックアップを実行することができる。この自動機能は、市販されている移動装置によってサポートされる様々な機能を考えれば、有用である。すべてのデバイスが他の通信チャネルをサポートしているわけではなく、いくつかのチャネルおよび／またはモードが可能な場合、本発明は、ユーザがその独自の事前に記録または事前に選択された基準に従った最適なバックアップに必要な構成について頭を悩ませる必要がないことを確実にする。
【００１２】
一方、他のチャネルを提供していない高度先進ではない移動体の場合、または、コストおよび発生する遅延に関してあまり実用的でない所与のチャネルを介して大量のデータ・バッチをバックアップする必要がある場合、代替バックアップ・モード（据置きモード、保存モードなど）を実施するかまたは加入者に提案することができる。
【００１３】
本方法の他の特徴によれば、少なくとも１つの第２のチャネルを確立するために使用される移動体機能がＢＩＰであり、本方法は、バックアップされるデータの量が所定の量よりも多いこと、ならびに第２のチャネル９および／または他のより良く適合されたモードが選択されることを検出する際に従う事前ステップ１１を含む。
【００１４】
これにより、主に待機時間および／またはコストを削減する目的で、他のバックアップ構成、モード、またはオプションを加入者に提案するか、または自動的に実施することができる。この自動の場合、上記方法は、オプション、デフォルト基準、および選択可能基準、ならびにそのオプションまたは基準に関するテストを実施することができる。
【００１５】
−所定量しきい値は２００キロバイトに等しく、待機時間しきい値は２分に等しい。
【００１６】
−第２のチャネルはＣＳＤおよびＧＰＲＳから選択される。
【００１７】
−第１のチャネルはＳＭＳメッセージを使用するタイプである。
【００１８】
−上記方法は、バックアップされるデータのコストが所定のしきい値より高いかどうか、ならびに、バックアップが適合チャネルおよび／またはバックアップ・モードで実行されるかどうかを判別する事前評価ステップを含む。
【００１９】
さらに、本発明は、第１の通信チャネルおよび第１のバックアップ・モードを使用して、加入者の個人データを無線通信ネットワーク・サーバにバックアップするためのアプリケーションを有するポータブル・デバイスにも関する。
【００２０】
上記アプリケーションは、デバイスが、少なくとも１つの第２の通信チャネルおよび／または他のバックアップ・モードの確立を可能にする機能および／または他のバックアップ・モードを有するかどうかを判別するステップと、これを有する場合、この第２のチャネルおよび／またはこの他のモード上で通信を開通し、この第２の通信チャネルおよび／またはこの他のモードを介してデータのバックアップとを続行するステップとを実施することができることを特徴とする。
【００２１】
１つの特徴によれば、ポータブル・デバイスは加入者識別モジュール・カードからなる。カードは、移動体通信デバイスに関して動作するように設計される。
【００２２】
本発明によるデバイスは、無線通信機能を備え、チップ・カード、およびＳＩＭまたはＵ（ＳＩＭ）チップを備えたカードを使用して、あるいは使用せずに動作するＰＤＡ、携帯情報端末などのすべてのポータブル無線通信デバイス（移動体）を含む。
【００２３】
本発明の他の特徴および利点は、添付の図面と共に提供される、本発明の特定の実施形態に関する以下の説明を読めば明らかになるだろう。
【発明を実施するための最良の形態】
【００２４】
この例では、ＧＳＭネットワークに対して、ＳＩＭカード２を備えた加入者の移動体ＭＥ１と、それぞれ、Ｇｅｎｅｒａｌ  Ｐａｃｋｅｔ  Ｒａｄｉｏ  Ｓｅｒｖｉｃｅ（汎用パケット無線サービス）およびＣｉｒｃｕｉｔ  Ｓｗｉｔｃｈｅｄ  Ｄａｔａ（回路交換型データ）を意味する頭字語であるＧＰＲＳまたはＣＳＤチャネルを介して、いわゆるＳＭＳメッセージがアクセス可能なリモート・サーバ３とからなる移動無線電話局を備える無線通信アーキテクチャが使用される。実際には、異なる特徴を備えた複数のネットワークを使用することができる。これらには、ＭＭＳなどのマルチメディアまたはストリーミング・オーディオおよびビデオを含む加入者の簡単なまたは複雑な個人データを搬送することができるＵＭＴＳまたはＷＬＡＮ（それぞれ、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（汎用移動体通信システム）およびＷｉｒｅｌｅｓｓ  Ｌｏｃａｌ  Ａｒｅａ  Ｎｅｔｗｏｒｋ（無線ローカル・エリア・ネットワーク）を意味する頭字語）などのネットワーク・タイプも含まれる。
【００２５】
移動体１は、無線通信インタフェースを備えたＰＤＡ、携帯情報端末などの他の通信デバイスを含むことができる。
【００２６】
個人データ７は、あらかじめ移動装置１および／またはカードのチップ４に保存することができる。この例では、データは初期にはチップ内にある。
【００２７】
サーバ３は、移動局とのメッセージの送受信を行うための通信インタフェースと、処理ユニットと、既知のタイプの「サーバ」バックアップ・アプリケーションと、加入者の個人データをバックアップするためのデータベース５とを含む。
【００２８】
加入者識別モジュール・カードの電子チップ１１は、既知の様式で、データおよび制御バスを介して、主にカード用のオペレーティング・システムおよび特定アルゴリズムを含む一方のＲＯＭアプリケーション・メモリと、他方のプログラム可能メモリおよびランダム・アクセス・メモリ（ＲＡＭ）とに接続されたプロセッサを有する。
【００２９】
主にＥＥＰＲＯＭなどのプログラム可能メモリは、通信サービスおよび特定アプリケーションを許可することができる加入者のデータまたは関連する符号化キー（ＩＭＳＩ、Ｋｉ）での後者の加入に関するデータを主に含む。
【００３０】
本発明の特徴によれば、カードは、そのプログラム可能メモリ内に保存され、使用可能および／またはアクセス可能チャネルに従って、および／または特定のバックアップ・モードに従って、最適化された様式でデータのバックアップを開始することが可能なアプレットと呼ばれるアプリケーション６を含む。
【００３１】
たとえばアプリケーションは、主に移動体の管理に関して主導権を取るという意味でカードを「事前対応型」にすることが可能な、ＧＳＭ  １１．１４標準に準拠したコマンド・セットを使用することを意味するＳＩＭツールキット・タイプとすることが可能である。
【００３２】
カードのプロセッサがアプレットを実行している間、カードは移動体とのすべての交換を引き継ぐ。
【００３３】
このバックアップ・プログラムは、既知の様式で、少なくとも１つの第１のデータ・サブセットを、バックアップ用にサーバにバックアップされるデータのバッチの中から伝送するように、移動体に要求することができる。
【００３４】
本発明の方法は、初めに好ましいモードに従って図３に関して説明する。
【００３５】
加入者は、ＧＰＲＳ加入および「アプレットＳＩＭｃｈｒｏｎｉｓｅ  ＢＩＰ」と呼ばれる高度なバックアップ・アプリケーションを備えたＳＩＭカード２を有する。ＳＩＭ内の個人データは、容量が５００キロバイトを超える２５５の電話番号を含む電話帳からなる。
【００３６】
加入者は、ＢＩＰ機能（Ｂｅａｒｅｒ  Ｉｎｄｅｐｅｎｄｅｎｔ  Ｐｒｏｔｏｃｏｌを意味する頭字語）をサポートする移動体１にＳＩＭを挿入する。「ＢＩＰ」機能は、「ＳＩＭ  Ｔｏｏｌｋｉｔ」（ＳＴＫ）を記述し、カードの一連のコマンドおよび事前対応型状況を定義する、ＥＳＴＩ「ＧＳＭ  １１  １４」標準のオプションである。このプロトコルに従って、ＳＩＭは、使用される通信技術に関係なく移動体機器ＭＥの通信手段を使用することができる。
【００３７】
ＳＩＭは、事前データ交換中にその状況を受信する場合、移動体が「ＢＩＰ」をサポートしているかどうかを自動的に検出する。この情報を適合メモリに保存することができる。
【００３８】
加入者は、画面上に表示されたバックアップ・アプリケーション・メニューからリモート・サーバ３への自分の電話帳のバックアップを開始する１０。
【００３９】
バックアップ・プログラム６は、バックアップされるデータを評価するステップを実施し（このステップは、暗黙であるか、または続くテストに含まれる）、バックアップされるデータの量をテストする１１。評価された量は、２００キロバイトに等しいしきい値と比較される。
【００４０】
バックアップされるデータの量がしきい値を超えると、バックアップ・プログラムは、移動体がＢＩＰをサポートしているかどうかを判別するステップを含む他のテストに接続される１２。
【００４１】
このテストでは、スイッチ・オンされたときに移動体から受信した情報が読み取られ、カード内の状況メモリに保存される。移動体がＢＩＰをサポートしているため、そのデータ量がバックアップされる場合により有用な他のチャネルを介してバックアップが実行可能であることを意味する。
【００４２】
この場合、次のステップ１３でカードはＧＰＲＳチャネルを開き、次に、ステップ１４で、バックアップされるデータをこのチャネルを介して送信するよう移動体に要求する。
【００４３】
次にバックアップは、非常に高速でプロセス全体を通じて送信された番号の数を順次表示する、ＧＰＲＳモードで実行される。
【００４４】
サーバからの受信の肯定応答を受信すると、またはこれを受信する前に、ＳＩＭカードはステップ１５でＧＰＲＳチャネルを閉じる旨のコマンドを送信し、本発明による高度なバックアップ・プログラムが終了する。
【００４５】
次に、加入者は自分の電話帳への新しいコンタクトを追加し、自分のバックアップ・アプリケーションのメニューから前述のようにサーバへのバックアップを開始する。
【００４６】
アプリケーションは、バックアップされるデータの量が２００キロバイトより少ない（テスト１１の「いいえ」分岐）と評価し、したがって、ＳＭＳメッセージをサポートする第１のチャネルを介してその数をサーバに伝送するように、後者の移動体にコマンドを送信するステップを含むステップ１６に直接接続し、これを連続モードで実行する。
【００４７】
しきい値を定義する場合、たとえば、最高待機時間１分という命令を受信したバックアップ・プログラムは、この待機時間しきい値を量のしきい値に置き換える、またはその逆の論理を有することができる。プログラムは、異なるチャネルの帯域幅の既知の値に従って、含まれる所定の規則に従ってデータの量を伝送するのに必要な時間を置き換えることができる。
【００４８】
本発明の他の特徴によれば、プログラムは、異なる基準に従って、および適合チャネルへの自動スイッチによって、使用される最良のチャネルを評価するステップで構成することもできる。
【００４９】
後者が画面上に表示された中から使用するチャネルを選択できるように、加入者に最良のチャネルを通知するステップで構成することもできる。
【００５０】
待機時間、コスト、信頼性などの基準は、加入者の要件に従ってプログラムおよび修正することができる。
【００５１】
追加または代替テスト１１が、図４および図５に示されている。このテストは、バックアップに必要な時間１７（移動体の使用不可）、または場合によっては、バックアップのコスト１８（大規模データ、写真、マルチメディアなど）などの基準に合致させるステップで構成することができる。この場合、加入者は大量のデータをバックアップするが、同時にコストおよび／または待機時間を削減するように選択することができる。
【００５２】
本発明は、時間および／またはスペースにおけるバックアップを据え置き、より有利な時間スロット中に、または特定のネットワーク・カバレッジが検出された場合に必ず、バックアップを開始する、保存モードを含む他の特定のバックアップ・モード（１９，２０）を含むことができる。
【００５３】
据置きモードは、バックアップされるデータを分類して、バックアップのスペースを空ける、たとえば非同期タイプとすることができる。同様に、特定の時間に、または特定の場所（たとえばＷＬＡＮの場合は地理的領域）で、バックアップを実行するステップで構成することが可能である。バックアップは、基準に合致する条件が満たされ、地理的な場所が検出されるか特定のネットワーク・カバレッジが取得された場合、すぐに自動的に実行することができる。
【００５４】
これらの異なるモードは、バックアップ・アプリケーションに含まれる関連するテストによって始動される。テストのしきい値および／または様々な基準は、デフォルトの値または加入者によって構成することができる。
【００５５】
バックアップ動作のコストを定義するために、デバイスは、その時点で適用可能なコスト・パラメータに従って、バックアップ・アプリケーションが使用するコスト表または計算規則を含むことができる。これらコストの基準値およびパラメータは、オペレータまたはサーバによってダウンロード可能である。移動局とサーバとの間での事前交換によって、予測コストを決定することもできる。
【００５６】
本発明の方法の１つの特徴は、チャネルを介して、および／または加入者の基準に従って適合されたモードに従って、様々な方法でバックアップの実行を可能にする手段またはステップにある。
【００５７】
加入者には、優先順位によって、たとえばコスト、速度、信頼性、およびセキュリティの順で選択された基準に従って、あるいは場合によっては、より良いコスト／信頼性比率、コスト／セキュリティ比率などの、課せられた基準および／またはモードのしきい値、組み合わせ、またはレポートによって、チャネルおよび／またはバックアップ・モードを提供することができる。信頼性についてはＳＭＳが好ましいが、一方、速度およびコストについてはＧＰＲＳが好ましい場合がある。
【００５８】
そのため、アプリケーションは、異なるモードおよび使用可能なチャネルのプロパティ／利点の図表を含むことが可能であり、これが、バックアップが実行される最適な様式を事前に定義するために、加入者によって導入または選択された基準と比較されることになる。
【００５９】
あまり高度でない移動体の場合、たとえばＢＩＰ機能をサポートしていないため、プログラムが常にＳＭＳを介したバックアップで終わることになるという意味では、高度なバックアップ・アプリケーションの動作は加入者にとってトランスペアレントである可能性がある。適切な場合には、特定のバックアップ・モードのみが使用可能であり、さらに加入者が異なるチャネルを使用して動作可能な新しい移動体を取得した場合は必ず、加入者は自分の個人データを含むＳＩＭカードを維持することが可能であり、高度なバックアップ・アプリケーションを自動的に実施することができるようになる。
【００６０】
反対のケースでは、移動体がＧＰＲＳおよびＣＳＤまたはＷＬＡＮなどのいくつかのチャネルをサポートしている場合、本発明は、前述のように高度なカスタマイズされたバックアップを実行することができる。
【図面の簡単な説明】
【００６１】
【図１】本発明のネットワーク・アーキテクチャを示す図である。
【図２】ＳＩＭカードのチップを示す図である。
【図３】本発明の方法によるバックアップ・プログラムでのステップを示す図である。
【図４】図３のバックアップ・プログラムの追加または代替テストおよびモードを示す図である。
【図５】図３のバックアップ・プログラムの追加または代替テストおよびモードを示す図である。
【図１】
2007520101.tif 000003
【図２】
2007520101.tif 000004
【図３】
2007520101.tif 000005
【図４】
2007520101.tif 000006
【図５】
2007520101.tif 000007
【国際調査報告】
2007520101.tif 000008
2007520101.tif 000009
2007520101.tif 000010
2007520101.tif 000011
2007520101.tif 000012
2007520101.tif 000013